(57)【要約】【課題】  一旦除去した塵埃をダストボックス内に効率的に捕集することによって、エアフィルターに再付着することを抑制し、メンテナンス頻度を抑えることができるエアフィルター清掃装置を提供する。【解決手段】  エアフィルター清掃装置におけるダストボックス１２の内壁面１２ｃは、除塵体１５の側面の延長面との成す角Ｃが、ダストボックス中心側において鈍角となるように形成されている。また、内壁面１２ｃと除塵体１５の側面の延長面との交差部Ｄが凹の曲面にて形成されている。【選択図】図６
2020046086.tif 000002
【特許請求の範囲】
【請求項１】
エアフィルターと、
回転軸とブラシ体とを備えた回転清掃体と、
ダストボックスと、
除塵体とを有し、
前記エアフィルターは、前記回転清掃体と当接する位置に設置され、
前記ダストボックスは、前記回転清掃体の前記ブラシ体から吐き出された塵埃を受けるように形成され、
前記除塵体は、略板状であって、前記回転清掃体に付着した塵埃を掻き取るように当接して前記ダストボックス内に形成されているエアフィルター清掃装置において、
前記ダストボックスの内壁面は、前記除塵体の側面の延長面との成す角が、前記ダストボックス中心側において鈍角となるように形成されると共に、前記除塵体の側面の延長面との交差部が凹の曲面にて形成されていることを特徴とするエアフィルター清掃装置。
【請求項２】
エアフィルターと、
回転軸とブラシ体とを備えた回転清掃体と、
ダストボックスと、
除塵体とを有し、
前記エアフィルターは、前記回転清掃体と当接する位置に設置され、
前記ダストボックスは、前記回転清掃体の前記ブラシ体から吐き出された塵埃を受けるように形成され、
前記除塵体は、略板状であって、前記回転清掃体に付着した塵埃を掻き取るように当接して前記ダストボックス内に形成されているエアフィルター清掃装置において、
前記ダストボックスの内壁面は、前記除塵体の側面の延長面との交差部から、前記エアフィルターに対する垂直面を越えて前記除塵体側へ向かう面が形成されるまで、凹の曲面又は、屈曲角度が９０度未満となる多面体の面で形成されていることを特徴とするエアフィルター清掃装置。
【請求項３】
エアフィルターと、
回転軸とブラシ体とを備えた回転清掃体と、
ダストボックスと、
除塵体とを有し、
前記エアフィルターは、前記回転清掃体と当接する位置に設置され、
前記ダストボックスは、前記回転清掃体の前記ブラシ体から吐き出された塵埃を受けるように形成され、
前記除塵体は、略板状であって、前記回転清掃体に付着した塵埃を掻き取るように当接して前記ダストボックス内に形成されているエアフィルター清掃装置において、
前記ダストボックスの内壁面は、エアフィルターとの最近部から、前記除塵体の頂部を含み前記エアフィルターのフィルター面に対して平行な仮想面との交差位置に至るまで、凹の曲面又は屈曲角度が９０度未満となる多面体の面にて形成されていることを特徴とするエアフィルター清掃装置。
【請求項４】
架台内に設けられた凝縮器と、該凝縮器に空気を送る送風ファンと、
前記凝縮器の前面に配置し請求項１〜３のいずれか１項に記載のエアフィルター清掃装置と、を備えたことを特徴とするショーケース。
【請求項５】
空気吸入口から吸入した空気を空気吹出口に導く風路を有する本体と、該本体内に、送風ファンと、請求項１〜３のいずれか１項に記載のエアフィルター清掃装置と、を備えたことを特徴とする空気調和機。
【発明の詳細な説明】
【技術分野】
【０００１】
本発明は、エアフィルターを清掃する回転清掃体を備えたエアフィルター清掃装置と、このエアフィルター清掃装置を備えたショーケース及び空気調和機に関するものである。
【背景技術】
【０００２】
従来から、ショーケース等の内部に設置され、エアフィルターに付着している塵埃等を除去するエアフィルター清掃装置が知られている（特許文献１）。
【０００３】
特許文献１のエアフィルター清掃装置は、凝縮器の前面に配置され左右方向に移動が可能なエアフィルターが通過する位置に設置され、回転ブラシがエアフィルターに当接してエアフィルターに付着している塵埃を除去すると共に、回転ブラシに付着した塵埃は、凹凸形状を有する除塵部により剥離し、自重で落下した塵埃は吸引管から吸引部へと移動させる構成としている。また、その他の塵埃は、清掃動作の復路時に回転ブラシによりエアフィルター側に移動させると共に、回転ブラシの回転で塵埃が丸くなることによって吸着力を低下させ、エアフィルターに接触した際に落下させる構成としている。
【先行技術文献】
【特許文献】
【０００４】
【特許文献１】特開２０１４−２０７７２号公報
【発明の概要】
【発明が解決しようとする課題】
【０００５】
しかしながら、上記特許文献１に記載のエアフィルター清掃装置は、エアフィルター側に移動した際の塵埃が回転ブラシの押圧を受けることにより、エアフィルターに再付着して除塵効率が低下するという課題を有していた。また、エアフィルターに接触した際に塵埃が落下した場合には、吸引管から吸引部へと塵埃を移動させる必要があることから、メンテナンス頻度が高まるといる課題を有していた。
【０００６】
本発明は、前記従来の課題を解決するものであり、エアフィルターに付着した塵埃を除去すると共に、一旦除去した塵埃をダストボックス内に効率的に捕集することによって、エアフィルターに再付着することを抑制し、メンテナンス頻度を抑えることができるエアフィルター清掃装置と、このエアフィルター清掃装置を備えたショーケース及び空気調和機を提供することを目的とする。
【課題を解決するための手段】
【０００７】
前記従来の課題を解決するために、請求項１のエアフィルター清掃装置の発明は、エアフィルターと、回転軸とブラシ体とを備えた回転清掃体と、ダストボックスと、除塵体とを有し、前記エアフィルターは、前記回転清掃体と当接する位置に設置され、前記ダストボックスは、前記回転清掃体の前記ブラシ体から吐き出された塵埃を受けるように形成され、前記除塵体は、略板状であって、前記回転清掃体に付着した塵埃を掻き取るように当接して前記ダストボックス内に形成されているエアフィルター清掃装置において、前記ダストボックスの内壁面は、前記除塵体の側面の延長面との成す角が、前記ダストボックス中心側において鈍角となるように形成されると共に、前記除塵体の側面の延長面との交差部が凹の曲面にて形成されていることを特徴としている。
【０００８】
請求項１の発明では、ダストボックス内の塵埃に加わる内壁面からの抵抗が軽減されると共に、塵埃が圧縮されながら湾曲状にクセづけされることで、ダストボックス内で蜷局を巻くこととなり、効率よく収容できるので、エアフィルターに再付着することを抑制し、メンテナンス頻度を抑えることができる。
【０００９】
請求項２のエアフィルター清掃装置の発明は、エアフィルターと、回転軸とブラシ体とを備えた回転清掃体と、ダストボックスと、除塵体とを有し、前記エアフィルターは、前記回転清掃体と当接する位置に設置され、前記ダストボックスは、前記回転清掃体の前記ブラシ体から吐き出された塵埃を受けるように形成され、前記除塵体は、略板状であって、前記回転清掃体に付着した塵埃を掻き取るように当接して前記ダストボックス内に形成されているエアフィルター清掃装置において、前記ダストボックスの内壁面は、前記除塵体の側面の延長面との交差部から、前記エアフィルターに対する垂直面を越えて前記除塵体側へ向かう面が形成されるまで、凹の曲面又は、屈曲角度が９０度未満となる多面体の面で形成されていることを特徴としている。
【００１０】
請求項２の発明では、ダストボックス内の塵埃に加わる内壁面からの抵抗が除塵体側に戻り始めるまで軽減されるので、塵埃が徐々に圧縮されながらダストボックス内で蜷局を巻くこととなり、効率よく収容できるので、メンテナンス頻度を抑えることができる。
【００１１】
請求項３のエアフィルター清掃装置の発明は、エアフィルターと、回転軸とブラシ体とを備えた回転清掃体と、ダストボックスと、除塵体とを有し、前記エアフィルターは、前記回転清掃体と当接する位置に設置され、前記ダストボックスは、前記回転清掃体の前記ブラシ体から吐き出された塵埃を受けるように形成され、前記除塵体は、略板状であって、前記回転清掃体に付着した塵埃を掻き取るように当接して前記ダストボックス内に形成されているエアフィルター清掃装置において、前記ダストボックスの内壁面は、エアフィルターとの最近部から、前記除塵体の頂部を含み前記エアフィルターのフィルター面に対して平行な仮想面との交差位置に至るまで、凹の曲面又は屈曲角度が９０度未満となる多面体の面にて形成されていることを特徴としている。
【００１２】
請求項３の発明では、塵埃がダストボックス内で蜷局を巻くのに必要な長さを確保すると共に、塵埃を効率よく収容できるので、ダストボックスを大型化することなく、メンテナンス頻度を抑えることができる。
【００１３】
請求項４のショーケースの発明は、架台内に設けられた凝縮器と、該凝縮器に空気を送る送風ファンと、前記凝縮器の前面に配置し請求項１〜３のいずれかのエアフィルター清掃装置と、を備えたことを特徴としている。したがって、ショーケースに設置されたエアフィルター清掃装置において塵埃の収容効率を高めることができ、ダストボックスに溜まった塵埃の取り出し回数を減らすことができる。
【００１４】
請求項５の空気調和機の発明は、空気吸入口から吸入した空気を空気吹出口に導く風路を有する本体と、該本体内に、送風ファンと、請求項１〜３のいずれかのエアフィルター清掃装置と、を備えたことを特徴としている。したがって、空気調和機に設置されたエアフィルター清掃装置において塵埃の収容効率を高めることができ、ダストボックスに溜まった塵埃の取り出し回数を減らすことができる。
【発明の効果】
【００１５】
請求項１のエアフィルター清掃装置の発明は、ダストボックス内の塵埃に加わる内壁面からの抵抗が軽減されると共に、塵埃が圧縮されながら湾曲状にクセづけされることで、ダストボックス内で蜷局を巻くこととなり、効率よく収容できるので、エアフィルターに再付着することを抑制し、メンテナンス頻度を抑えることができる。また、請求項２のエアフィルター清掃装置の発明は、ダストボックス内の塵埃に加わる内壁面からの抵抗が除塵体側に戻り始めるまで軽減されるので、塵埃が徐々に圧縮されながらダストボックス内で蜷局を巻くこととなり、効率よく収容できるので、メンテナンス頻度を抑えることができる。また、請求項３のエアフィルター清掃装置の発明は、塵埃がダストボックス内で蜷局を巻くのに必要な長さを確保すると共に、塵埃を効率よく収容できるので、ダストボックスを大型化することなく、メンテナンス頻度を抑えることができる。
【００１６】
請求項４のショーケースの発明は、ショーケースに設置されたエアフィルター清掃装置において塵埃の収容効率を高めることができ、ダストボックスに溜まった塵埃の取り出し回数を減らすことができる。また、請求項５の空気調和機の発明は、空気調和機に設置されたエアフィルター清掃装置において塵埃の収容効率を高めることができ、ダストボックスに溜まった塵埃の取り出し回数を減らすことができる。
【図面の簡単な説明】
【００１７】
【図１】（ａ）本発明に係るショーケースの斜視図（ｂ）本発明に係るエアフィルター清掃装置の斜視図
【図２】本発明に係るショーケースの一部断面図
【図３】清掃装置本体の斜視図
【図４】エアフィルター清掃装置の清掃時の状態を示す正面図
【図５】エアフィルター清掃装置の清掃時の状態を示す断面図
【図６】（ａ）〜（ｄ）ダストボックス内の塵埃が蜷局を巻く過程を示すダストボックスの断面図（ｅ）図６（ｃ）の一部拡大図
【図７】（ａ）第２実施形態のエアフィルター清掃装置のダストボックスを示す断面図（ｂ）第３実施形態のエアフィルター清掃装置のダストボックスを示す断面図
【図８】（ａ）本発明に係る空気調和機を正面方向から視た斜視図（ｂ）本発明に係る空気調和機を背面方向から視た斜視図
【発明を実施するための形態】
【００１８】
以下、本発明の実施形態について、図面を参照しながら説明する。なお、この実施の形態によって本発明が限定されるものではない。
【００１９】
図１（ａ）は、本発明に係るショーケースを示す斜視図であり、図１（ｂ）は、本発明に係るエアフィルター清掃装置の斜視図である。また、図２は、本発明に係るショーケースの一部断面図である。これらの図を用いて本発明に係るショーケース及びエアフィルター清掃装置の概要を以下に説明する。
【００２０】
本発明に係るショーケース１は、正面に開閉扉２ａ、２ａ・を備えた箱型形状のケーシング２と、ケーシング２の上部に設けられ、ケーシング２内に供給する冷気を生成する冷媒回路などを収容した架台３とで構成されている。ケーシング２は、食品などを陳列する陳列棚４と、冷媒回路で生成された冷気が吹き出される吹き出し口（図示せず）と、吹き出し口から吹き出された冷気が陳列棚４を通過後に吸い込まれる吸い込み口（図示せず）と、陳列棚４を照らすＬＥＤランプ（図示せず）とを備えている。尚、吸い込み口から吸い込まれた冷気は冷媒回路に戻され、再び吹き出し口から吹き出される。
【００２１】
架台３の前面には着脱可能な前面パネル５が取り付けられており、架台３内には冷媒回路を構成する圧縮機（図示せず）、凝縮器６、蒸発器（図示せず）と、冷媒回路や蛍光灯などの制御を行う基板を収容した電装ボックス（図示せず）とが配置されている。尚、前面パネル５の凝縮器６と対向する箇所には、凝縮器６へ外気を供給するための複数の吸気口７が形成されている。また、凝縮器６の後方には吸気口７を介して外気を凝縮器６に供給する送風ファン８が配置されている。
【００２２】
前面パネル５の吸気口７と凝縮器６との間には、凝縮器６に供給される外気に含まれる塵埃を捕集するエアフィルター９と、エアフィルター９に付着した塵埃を除去する回転清掃体１１と、ダストボックス１２とを有するエアフィルター清掃装置１０が設けられている。尚、エアフィルター清掃装置１０は、図１に示すようにケーシング２の上部に取り付ける場合と、図示しないがケーシング２の下部に取り付ける場合とがある。また、本発明に係るエアフィルター清掃装置１０は、ショーケース１に替えて、冷凍庫に取り付けて使用することも可能である。
【００２３】
エアフィルター清掃装置１０は、清掃装置本体１０ａに回転清掃体１１とダストボックス１２が設置されており、清掃装置本体１０ａには、エアフィルター９の長手方向に沿って配設されたラック（図示せず）に噛み合いつつ回転するピニオンギア１３ａと、ピニオンギアにより回転させる駆動ギアＡ１３ｂ、駆動ギアＢ１３ｃとが設けられている。よって、図示しないモータによってピニオンギア１３ａを回転させると、駆動ギアＡ１３ｂが回転し一体となって清掃装置本体１０ａがエアフィルター９の長手方向に沿って移動する。そして、駆動ギアＡ１３ｂと噛みあいながら駆動ギアＢ１３ｃも回転し、連結している回転清掃体１１が回転する構成としている。尚、エアフィルター９は、フィルター体９ａと、フィルター体９ａを複数に区画する格子枠９ｂとを備えている。
【００２４】
図３は、清掃装置本体の斜視図であり、図３を使用して清掃装置本体について説明する。清掃装置本体１０ａは、その一部がダストボックス１２を構成していると共に、回転軸１１ａとブラシ体１１ｂとを備えた回転清掃体１１を回転自在に軸支している。また、ダストボックス１２の開口部を塞ぐ開閉可能な蓋体１４を備えており、蓋体１４の長手方向の端部には、櫛歯状の除塵体１５が設けられている。尚、図３は、蓋体１４が開いた状態を示しており、蓋体１４を閉じた状態では、除塵体１５が回転清掃体１１のブラシ体１１ｂにくい込むように当接した状態となる。
【００２５】
ダストボックス１２は、図３に示すように、回転清掃体１１のブラシ体１１ｂから吐き出された塵埃を受けるように形成されており、内壁１２ａには複数の仕切り板１６ａ、１６ａが設置されている。この仕切り板１６ａは、塵埃を回転清掃体１１から遠ざける為に、回転清掃体１１から離れるに従い下方に傾斜するように設置されている。尚、図３においてダストボックス１２の底面１２ｂを傾斜させていないが、底面１２ｂを仕切り板１６ａと同様に、回転清掃体１１から離れるに従い下方に傾斜するように形成してもよく、この構成も本発明に含まれる。また、蓋体１４にも複数の仕切り板１６ｂ，１６ｂが設置されている。この仕切り板１６ｂは、１６ａと同様に塵埃を回転清掃体１１から遠ざける為に、回転清掃体１１から離れるに従い下方に傾斜するように設置されており、蓋体１４を閉じた状態で、仕切り板１６ａの側部と仕切り板１６ｂの側部とが当接して一枚の仕切り板１６となる構成としている。尚、回転清掃体１１は、その長手方向が略鉛直方向に一致するように設置するが、これは塵埃が仕切り板１６ａ上を滑り回転清掃体１１から遠ざかる効果が発揮される状態を示している。また、回転清掃体１１は、回転軸１１ａにブラシ体１１ｂを螺旋状に巻いて形成されており、本実施例のように仕切り板１６をブラシ体１１ｂに当接させた場合は、螺旋の傾斜方向は、仕切り板１６の傾斜方向と一致させることによって、回転清掃体１１の回転時の抵抗を軽減させている。
【００２６】
図４は、エアフィルター清掃装置の清掃時の状態を示す正面図（初期位置）であり、清掃装置本体１０ａが初期位置であるエアフィルター９の長手方向の一方の端部にある状態を示している。尚、ダストボックスの内部構造が見えるように清掃装置本体の一部を透過して図示している。ショーケース１の冷蔵又は冷凍運転時は、前述のとおり送風ファン８により吸気口７から外気を凝縮器６に供給する際に、フィルター体９ａには塵埃１８が付着して堆積し、綿状又は絨毯状の塊となる。プラスチック等の合成樹脂で形成されている格子枠９ｂには塵埃は付着しないので、塵埃１８は格子枠９ｂ毎に区画された塊となる。ここで、仕切り板１６の回転清掃体１１側の端部は、エアフィルター９の格子枠９ｂの延長線上に形成されている。また、仕切り板１６は、回転清掃体１１のブラシ体１１ｂに当接させている。尚、フィルター体９ａに付着する塵埃１８は、エアフィルター清掃装置１０の設置位置によって異なる。エアフィルター清掃装置１０を床面に近い場所に設置した場合には糸くずや砂等も含まれることになる。また、本実施例では塵埃１８を綿状又は絨毯状の塊として図示しているが、塊となっておらず薄くフィルター体９ａに堆積した塵埃や、部分的に付着した塵埃など、その形状や付着位置は使用環境によって様々な状態が想定される。
【００２７】
図５は、エアフィルター清掃装置の清掃時の状態を示す断面図（初期位置）であり、清掃装置本体１０ａが初期位置であるエアフィルター９の長手方向の一方の端部にある状態を示している。この状態では、仕切り板１６は、回転清掃体１１に当接している。そして、図４及び図５の矢印で示すように、清掃装置本体１０ａは、図面上、左から右へと移動し、エアフィルター９の長手方向の他方の端部に到達して清掃が終了した後、再び初期位置に復帰する構成としている。
【００２８】
図６（ａ）〜（ｅ）は、ダストボックス内の塵埃が蜷局を巻く過程を示すダストボックスの断面図であり、図６（ｅ）は、図６（ｃ）の一部拡大図である。これらの図を用いて本発明に係るエアフィルター清掃装置の第１実施形態について説明する。尚、図６において図面の手前側がエアフィルター清掃装置の下方で、エアフィルターが上下方向に設置されている場合を示しているが一例であり、エアフィルターの設置方向を変えた場合でも本発明の効果は発揮される。
【００２９】
図６に示すように、除塵体１５は、内壁面１２ｃと一体的に形成されているが、屈折している箇所の前側の略板状の部分までを除塵体１５とし、それ以降の部分を内壁面１２ｃとする。また、図６（ａ）〜（ｃ）において、破線は除塵体１５の側面の延長面を示している。また、図６（ｅ）において、角度Ａ１７は、内壁面１２ｃの屈曲角度を示している。さらに、図６（ｂ）の一点鎖線は、内壁面１２ｃと除塵体１５の側面の延長面との交差部における内壁面１２ｃの接線を示している。また、図６（ｃ）の二点鎖線は、エアフィルター９のフィルター平面に対する垂直面を示している。
【００３０】
除塵体１５によって回転清掃体１１から掻き取られた塵埃１８は、図６（ａ）に示すように、除塵体１５の側面を滑ってダストボックス１２の内部に収容される。塵埃１８は、綿状又は絨毯状の塊となって矢印Ａ方向に押し出されて行く。そして、図６（ｂ）に示すように、内壁面１２ｃに到達すると、矢印Ｂ方向に押し出されて行く。ここで、ダストボックス１２の内壁面１２ｃは、除塵体１５の側面の延長面との成す角Ｃが、ダストボックス中心側において鈍角となるように形成されている。また、内壁面１２ｃと除塵体１５の側面の延長面との交差部Ｄが凹の曲面にて形成されている。
【００３１】
角Ｃが鈍角となるように内壁面１２ｃを形成することにより、塵埃１８が過度な圧縮を受けること無く矢印Ｂ方向に押し出されて行くので、塵埃１８が蜷局形状を形成しやすくなる。一方、角Ｃが鋭角となるように内壁面１２ｃを形成した場合には、塵埃１８に加わる抵抗が大きくなるため、塵埃１８をスムーズに収容することができず、回転清掃体１１側へ押し戻される可能性もある。また、塵埃１８の移動方向が一定とならないことから、ダストボックス１２内部を有効活用することができない。
【００３２】
交差部Ｄが凹の曲面となるように形成することにより、一層圧縮が軽減されると共に、塵埃１８に湾曲状のクセが付くので、より蜷局形状が形成され易くなる。尚、交差部Ｄから一定の長さの間を連続して曲面が形成されている方がよりクセ付けされるので、蜷局形状を形成しやすくなる。また、本実施例では内壁面１２ｃを除塵体１５との接合部分からエアフィルター９側に向かい屈折させて形成しているが、屈折させずに除塵体１５の側面と同一平面で交差部Ｄまで到達するよう形成しても本発明に含まれる。かかる場合は、塵埃１８が屈折方向に曲がることなく、内壁面１２ｃから過度な抵抗を受けず交差部Ｄまで誘導できるため、より蜷局形状が形成され易くなる。
【００３３】
また、ダストボックス１２の内壁面１２ｃは、除塵体１５の側面の延長面との交差部Ｄから、エアフィルターに対する垂直面を越えて除塵体１５側へ向かう面が形成されるまで、凹の曲面又は、屈曲角度が９０度未満となる多面体の面で形成されているのが好ましい（図６（ｃ）参照）。このように構成することによって、塵埃１８は内壁面１２ｃが除塵体１５側に向かう面が形成される始点Ｍを通過するまで、塵埃１８の先端部に過度な抵抗が加わることがなく、内壁面１２ｃに沿って移動方向が９０度以上変化している間は屈曲形状のクセ付けが成されているため、矢印Ｏ方向に押し出された後、蜷局形状が形成され易くなる。尚、図６において除塵体１５の側面の延長面との交差部Ｄから、エアフィルターに対する垂直面を越えて除塵体１５側へ向かう面が形成されるまでの内壁面１２ｃは、凹の曲面としているが、屈曲角度が９０度未満となる多面体の面で形成されていても同様に、塵埃１８の先端部に過度な抵抗が加わることがないので、屈曲形状のクセ付けが成されて、蜷局形状が形成され易くなる。
【００３４】
また、塵埃１８がダストボックス１２内で蜷局形状を形成させるためには、ダストボックス１２の内壁面１２ｃがエアフィルター９との最近部Ｇから、除塵体１５の頂部Ｅを含みエアフィルター９のフィルター面に対して平行な仮想面（図６（ｄ）の三点鎖線）との交差位置Ｆに至るまで、凹の曲面又は屈曲角度が９０度未満となる多面体の面にて形成されているのが好ましい。このように構成することによって、塵埃がダストボックス内で蜷局を巻くのに必要な長さを確保すると共に、塵埃を効率よく収容できるので、ダストボックスを大型化することなく、メンテナンス頻度を抑えることができる。また、除塵体１５の傾斜角度や塵埃の太さ等によっては、塵埃１８の先端が交差部Ｄ方向には向かわず、最近部Ｇ方向に向かう場合が想定されるが、その場合でも屈曲形状のクセ付けが成されて、蜷局形状が形成され易くなる。
【００３５】
尚、図６（ｄ）において、点線矢印は、塵埃１８の移動順路を示しており、図６（ｄ）に示すように、塵埃１８が二重、三重に蜷局形状を形成することによって、効率よく最大限の塵埃１８を収容することができる。
【００３６】
図７（ａ）は、第２実施形態のエアフィルター清掃装置のダストボックスを示す断面図である。図７（ａ）のダストボックス２８において、破線は、除塵体３０の側面の延長面を示している。また、一点鎖線は、内壁面２９ｃと除塵体３０の側面の延長面との交差部Ｎにおける内壁面２９ｃの接線を示している。また、二点鎖線は、エアフィルター９のフィルター平面に対する垂直面を示している。また、点Ｈは内壁面２９ｃが除塵体３０側へ向かう面が形成される始点を示している。第２実施形態と、図６に示した第１実施形態との相違点は、内壁面２９ｃが全て曲面であって、断面が略楕円形状になっている点と、除塵体３０が傾斜しておらず、エアフィルター９のフィルター平面と平行になっている点である。
【００３７】
内壁面２９ｃを全て曲面としたことによって、より蜷局形状が形成され易くなる。また、内壁面２９ｃの断面を略楕円形状としたことによって、塵埃の先端が二重目に移り易くなる。また、除塵体３０をフィルター平面と平行としたことによって、塵埃の収容量を増やすことができる。
【００３８】
図７（ｂ）は、第３実施形態のエアフィルター清掃装置のダストボックスを示す断面図である。図７（ｂ）のダストボックス３１において、破線は、除塵体３２の側面の延長面を示している。また、一点鎖線は、内壁面３３ｃと除塵体３２の側面の延長面との交差部Ｊにおける内壁面３３ｃの接線を示している。また、二点鎖線は、エアフィルター９のフィルター平面に対する垂直面を示している。また、点Ｌは内壁面３３ｃが除塵体３２側へ向かう面が形成される始点を示している。そして、ダストボックス３１の内壁面３３ｃがエアフィルター９との最近部Ｊ（交差部と同じ位置）から、除塵体３２の頂部Ｉを含みエアフィルター９のフィルター面に対して平行な仮想面（図７（ｂ）の三点鎖線）との交差位置Ｋに至るまで、屈曲角度が９０度未満となる多面体の面にて形成されている。第３実施形態と、図６に示した第１実施形態との相違点は、内壁面３３ｃが全て鈍角で形成されており、断面が略六角形状になっている点と、除塵体３２の根元が内壁面３３ｃのよりエアフィルター９に近い位置に形成されている点である。
【００３９】
内壁面３３ｃを全て鈍角で形成したことによって、蜷局形状が形成され易くなる。また、内壁面３３ｃの断面を六角形状としたことによって、塵埃の先端が二重目に移り易くなる。また、除塵体３２の根元を内壁面３３ｃのよりエアフィルター９に近い位置に形成したことによって、塵埃の収容量を増やすことができる。
【００４０】
図８（ａ）は、本発明に係る空気調和機を正面方向から視た斜視図であり、図８（ｂ）は、本発明に係る空気調和機を背面方向から視た斜視図である。本発明に係る空気調和機２０は、吸込み口２１と排気口２２ａ、２２ｂを有する本体２３と、本体２３に形成され、吸込み口２１と排気口２２ａ、２２ｂとを連通する通過風路（図示せず）と、室内の浮遊塵埃を含む外気を吸込み口２１から吸引して排気口２２ａ、２２ｂから排出する送風機（図示せず）と、エアフィルター清掃装置（図示せず）とを備えている。また、本体２３の両側面近傍には、通過風路を構成する通気口（図示せず）が形成されている。
【００４１】
本体２３は、本体カバーＡ２３ａと、この本体カバーＡ２３ａに対して着脱自在な本体カバーＢ２３ｂとを備えており、本体カバーＡ２３ａの正面側には、排気口２２ａ、２２ｂが形成されている。また、本体カバーＡ２３ａの背面側の中央には、本体カバーＢ２３ｂが着脱自在に取り付けられており、本体カバーＢ２３ｂには、取っ手２５と、吸込み口２１とが形成されている。そして、本体カバーＢ２３ｂを取り外すことによって、エアフィルター清掃装置を着脱可能としている。
【００４２】
本発明に係る空気調和機２０は、前述のように構成されており、吸込み口２１から吸引された室内の浮遊塵埃を含む外気は、エアフィルター清掃装置によって塵埃が取り除かれた後、両側の通気口を経て、排気口２２ａ、２２ｂより排出される。
【産業上の利用可能性】
【００４３】
本発明に係るエアフィルター清掃装置は、エアフィルターに付着している塵埃等を除去するために、ショーケースや空気調和機に設置されて利用される。
【符号の説明】
【００４４】
１  ショーケース
２  ケーシング
２ａ  開閉扉
３  架台
４  陳列棚
５  前面パネル
６  凝縮器
７  吸気口
８  送風ファン
９  エアフィルター
９ａ  フィルター体
９ｂ  格子枠
１０  エアフィルター清掃装置
１０ａ  清掃装置本体
１１  回転清掃体
１１ａ  回転軸
１１ｂ  ブラシ体
１２、２８、３１  ダストボックス
１２ａ  内壁
１２ｂ  底面
１２ｃ、２９ｃ、３３ｃ  内壁面
１３ａ  ピニオンギア
１３ｂ  駆動ギアＡ
１３ｃ  駆動ギアＢ
１４  蓋体
１５、３０、３２  除塵体
１６、１６ａ、１６ｂ  仕切り板
１７  角度Ａ
１８  塵埃
２０  空気調和機
２１  吸込み口
２２ａ、２２ｂ  排気口
２３  本体
２３ａ  本体カバーＡ
２３ｂ  本体カバーＢ
Ｄ、Ｊ、Ｎ  交差部
Ｅ、Ｉ  頂部
Ｆ、Ｋ  交差位置
Ｇ、Ｊ  最近部
Ｈ、Ｌ、Ｍ  始点
【図１】
2020046086.tif 000003
【図２】
2020046086.tif 000004
【図３】
2020046086.tif 000005
【図４】
2020046086.tif 000006
【図５】
2020046086.tif 000007
【図６】
2020046086.tif 000008
【図７】
2020046086.tif 000009
【図８】
2020046086.tif 000010